(57)【要約】      （修正有）【課題】スーパー等店舗で買い物をした際に提供されたレジ袋を、素早く簡単により多くのレジ袋を収納できて、再利用する際にもレジ袋を簡単に取り出すことが出来るレジ袋ストッカーを提供する。【解決手段】レジ袋を収納するための飲料水等の空き箱には収納されたレジ袋を取り出すための直径８０ミリ程度の開口８を開けておき、ガイド板挿入口７がブラシ形状をしているストッカー本体２を空き箱に被せて使用し、ガイド板３は棒形状の持ち手部分と薄板形状の型板部分から構成されていて、型板部分にレジ袋を差し込み型板形状に合わせて折りたたみ、ストッカー本体２のガイド板挿入口７にレジ袋がセットされたガイド板３を差し込み引き抜くことによってレジ袋がガイド板挿入口７のブラシ部分４に引っかかり飲料水等の空き箱内部に収納する事が出来る。【選択図】図１
0003217078.tif 000002
【実用新案登録請求の範囲】
【請求項１】
スーパー等店舗で買い物をしたときに提供されるレジ袋を収納保管する為のレジ袋ストッカーである。  本考案レジ袋ストッカーは飲料水等の空き箱とストッカー本体とガイド板の三つの要素から構成されるものである。  飲料水等の空き箱はレジ袋を収納保管する為の容器として使用する。  ストッカー本体はガイド板挿入口がブラシ形状をしている事を特徴としていて、ガイド板にレジ袋をセットし差し込み、引き抜く際にレジ袋を収納容器内に留める機能を果たすものである。  ガイド板は、薄い板状に棒状の持ち手の付いた形状をしている。
【請求項２】
ガイド板のずれと空き箱内部でレジ袋の膨らみを抑える為に、レジ袋が収納される飲料水等の空き箱の底部には波形状のストッパーを有し、ストッカー本体両側面にゴムバンドを掛ける為のフックを数か所に備えている、請求項１記載のレジ袋ストッカー。
【考案の詳細な説明】
【技術分野】
【０００１】  本考案は、レジ袋ストッカーに関するものであり、スーパー等店舗で買い物をした際に提供されているレジ袋を簡単に収納できて再利用しやすく保管する為のレジ袋ストッカーに関するものである。
【背景技術】
【０００２】  レジ袋は多くのスーパー等店舗で買い物した時に提供されていて、一般家庭等ではゴミ袋として利用したり、衣類、タオル類、小物類等を分類し自宅から持ち出す際に活用するため、多くのレジ袋が保管されている。一般家庭等でレジ袋の保管は空箱や他袋に丸めて収納したり、丁寧に折りたたんで引き出しなどに収納している事がきわめて一般的である。
【先行技術文献】
【特許文献】
【０００３】
【特許文献１】特開２０１６−１２０９５０
【特許文献２】実願２００６−０５６５９１
【考案の概要】
【考案が解決しようとする課題】
【０００４】  レジ袋を単に丸めて空箱や他袋に収納するだけではレジ袋が膨らみ多く収納することが出来ないし、見た目にも悪く再利用するときにも使いにくくなっている。また、丁寧にレジ袋を折りたたみ、空箱等に収納しておけば再利用する際にも使いやすくなるが、丁寧に折りたたむのに非常に手間がかかってしまう。  いかに収納が素早く簡単に出来て、再利用する際に取り出しやすく、多くのレジ袋を収納保管出来るようにする。
【課題を解決するための手段】
【０００５】  多くのレジ袋を収納する容器は、容易に入手する事が出来て、持ち運ぶにも軽くて、ある程度強度のあるものが適していると考え、飲料水等（例／２リットル６本入り）の空き箱を利用する。空き箱▲１▼にあらかじめレジ袋を取り出すための直径８０ミリ程度の穴▲８▼を開口しておく。また、空き箱▲１▼内底部にはガイド板▲３▼のズレ防止用の波形状のストッパーを設置しておく。【０００６】  レジ袋を素早く簡単に収納するための、本考案レジ袋ストッカー本体▲２▼を空き箱▲１▼に取り付ける。ガイド板▲３▼にレジ袋▲１３▼を差し込んで、レジ袋▲１３▼の大きさに合わせて簡単に軽く折りたたみ、ストッカー本体▲２▼のガイド板▲３▼挿入口▲７▼にレジ袋▲１３▼装着済みのガイド板▲３▼ａを差し込み引き抜くことによってレジ袋▲１３▼を空き箱▲１▼内に収納する。【０００７】  ストッカー本体▲２▼のレジ袋挿入口▲７▼はブラシ形状▲４▼になっており、レジ袋▲１３▼が装着されたガイド板▲３▼ａを引き抜く際にレジ袋▲１３▼が挿入口▲７▼のブラシ形状部分▲４▼に引っかかることで素早く簡単にレジ袋▲１３▼を空き箱▲１▼内部に収納する事が可能で、問題を解決する事が出来る。
【考案の効果】
【０００８】  飲料水等の空き箱は簡単に入手する事が可能で安価である。重量も軽く適度な強度もあり開口等の加工や見た目を綺麗に見せる為のラッピング等の加工も容易にすることが可能である。【０００９】  本考案のレジ袋ストッカー［図１］は空き箱に被せて使用する形態で、空き箱への、取り付け・取り外しが簡単にできるため、空き箱別にレジ袋のサイズを揃えて収納する事も容易である。収納容器は空き箱を使用する為、収納容器一体型のレジ袋ストッカーよりもコストパフォーマンスが良い。【０００１０】  レジ袋▲１３▼に差し込むガイド板▲３▼は薄板形状▲１０▼に棒状の持ち手を付けた形状▲１１▼とする。薄板形状▲１０▼部分はレジ袋を折りたたむ際の型板となり、棒状の持ち手部分▲１１▼には、レジ袋▲１３▼のサイズが異なってもライン▲１２▼を設けることで、レジ袋▲１３▼にガイド板▲３▼を差し込む深さを容易に合わせる事が出来る。【０００１１】  ストッカー本体▲２▼のガイド板挿入口▲７▼をブラシ形状▲４▼にすることでガイド板▲３▼を引き抜く際にレジ袋▲１３▼がブラシ状の部分▲４▼に引っかかり、箱内部にレジ袋が留まって収納出来る。【０００１２】１．レジ袋▲１３▼をガイド板▲３▼に装着する。２．レジ袋▲１３▼をガイド板▲３▼の薄板形状▲１０▼部分を型板にして簡単に折りたたむ。３．レジ袋▲１３▼を装着したガイド板▲３▼ａをストッカー本体挿入口▲７▼に差し込む。４．ガイド板▲３▼をストッカー本体▲２▼の挿入口▲７▼から引き抜く。  １．〜４．動作を繰り返して、レジ袋を収納箱内部にレジ袋を収納していく。  １．〜４．動作の数秒でレジ袋▲１３▼を素早く簡単に収納する事が可能となる。
【図面の簡単な説明】
【０００１２】
【図１】レジ袋ストッカー（収納箱▲１▼とストッカー本体▲２▼とガイド板▲３▼が装着されている状態を表す。）
【図２】ストッカー本体▲２▼を収納箱▲１▼に取り付け・取外しを表す。
【図３】ガイド板▲３▼の詳細な形状を表す。
【図４】ストッカー本体▲２▼の詳細な形状を表す。
【図５】レジ袋▲１３▼内にガイド板▲３▼を挿入する前の状態を表す。
【図６】レジ袋▲１３▼内にガイド板▲３▼を挿入した状態を表し、レジ袋▲１３▼をガイド板▲３▼の薄板部分▲１０▼を型板とし折りたたむ方向を表す。
【図７】レジ袋▲１３▼内にガイド板▲３▼が挿入された状態を表し、レジ袋▲１３▼をガイド板▲３▼の薄板部分▲１０▼を型板として折りたたまれた状態を表す。この状態が▲３▼ａの符号を表す。
【図８】レジ袋▲１３▼が収納箱▲１▼内部に収納されている状態と、ガイド板▲３▼が収納箱▲１▼内部でレジ袋▲１３▼の膨らみを抑えている状態を表す。収納箱▲１▼底部分の波形形状のストッパー▲９▼とストッカー本体▲２▼両側面のフック▲６▼によって取り付けられたゴムバンド▲５▼で、ガイド板▲３▼のズレを抑えている状態を表す。〔図８〕（※１）ガイド板▲３▼ａ・▲３▼の動線を表す。
【符号の説明】
【０００１３】▲１▼  レジ袋収納箱・収納容器▲１▼（例／２リットル６本入り）▲２▼  レジ袋ストッカー本体▲３▼  ガイド板▲４▼  ブラシ形状である部分▲５▼  ゴムバンド▲６▼  フック（ゴムバンドを取り付ける為の物）▲７▼  ガイド板▲３▼（▲３▼ａ）挿入口（斜線部分）▲８▼  レジ袋取り出し口（※直径８０ミリ程度の開口）▲９▼  波形のガイド板▲３▼ストッパー（ガイド板▲３▼のズレを抑制する）▲１０▼  ガイド板▲３▼の薄板形状部分（レジ袋▲１３▼を折りたたむ型板部分）▲１１▼  ガイド板▲３▼の棒形状の持ち手部分▲１２▼  レジ袋▲１３▼にガイド板▲３▼を挿入する際にレジ袋▲１３▼上部に合わせるライン0003217078.tif 000003
▲３▼ａ  レジ袋▲１３▼内にガイド板▲３▼を差し込み、セッティングされている状態
【図１】
0003217078.tif 000004
【図２】
0003217078.tif 000005
【図３】
0003217078.tif 000006
【図４】
0003217078.tif 000007
【図５】
0003217078.tif 000008
【図６】
0003217078.tif 000009
【図７】
0003217078.tif 000010
【図８】
0003217078.tif 000011
【手続補正書】
【提出日】平成30年3月2日(2018.3.2)
【手続補正１】
【補正対象書類名】実用新案登録請求の範囲
【補正対象項目名】請求項１
【補正方法】変更
【補正の内容】
【請求項１】
本考案レジ袋ストッカーはスーパー等店舗で買い物をしたときに提供されるレジ袋を収納保管する為の物で、飲料水等の空き箱、ストッカー本体、ガイド板の三つの要素から構成されるものである。
飲料水等の空き箱はレジ袋を収納保管する為の容器で、ストッカー本体はガイド板挿入口がブラシ形状をしている事を特徴としていて、ガイド板にレジ袋をセットし差し込み、引き抜く際にレジ袋を収納容器内に留める機能を果たすレジ袋ストッカー。
【手続補正書】
【提出日】平成30年4月24日(2018.4.24)
【手続補正１】
【補正対象書類名】実用新案登録請求の範囲
【補正対象項目名】全文
【補正方法】変更
【補正の内容】
【実用新案登録請求の範囲】
【請求項１】
レジ袋を収納するための飲料水等の空き箱には収納されたレジ袋を取り出すための直径８０ミリ程度の開口を開けておき、ガイド板挿入口がブラシ形状をしているストッカー本体を空き箱に被せて使用し、ガイド板は棒形状の持ち手部分と薄板形状の型板部分から構成されていて、型板部分にレジ袋を差し込み型板形状に合わせて折りたたみ、ストッカー本体のガイド板挿入口にレジ袋がセットされたガイド板を差し込み引き抜くことによってレジ袋がガイド板挿入口のブラシ部分に引っかかり飲料水等の空き箱内部に収納する事が出来るレジ袋ストッカー。
【請求項２】
ガイド板のずれと空き箱内部でレジ袋の膨らみを抑える為に、レジ袋が収納される飲料水等の空き箱の底部には波形状のストッパーを有し、ストッカー本体両側にゴムバンドを掛ける為のフックを数か所に備えている請求項１記載のレジ袋ストッカー。